(57)【要約】【課題】表示パネルを並列して設置した表示装置に画像を表示する電子機器及び表示画質補正方法を提供する。【解決手段】実施形態の電子機器は、カメラ部と、画像処理手段と、画質設定手段と、通信手段と、を具備する。画像処理手段は、前記カメラ部が撮影した画像から表示装置の境界部とその両側の画像を検出し、前記境界部の両側の画像の画質の差異を抽出する。画質設定手段は、前記画像処理手段が抽出した前記境界部の両側の画像の画質を変更するための補正量を設定する。通信手段は、前記画質設定手段が設定した前記補正量を、ネットワークを通じて前記表示装置に供給する。【選択図】図４
2015087413.tif 000002
【特許請求の範囲】
【請求項１】
画質判定部からの指示を受けつける指示入力手段と、
前記指示入力手段が受けつけた前記画質判定部からの前記指示が表示中の画像の設定値の送信要求である場合に、受けつけた前記送信要求に基づいて表示中の画像の設定値を前記画質判定部に送信する設定値出力手段と、
前記指示入力手段が受けつけた前記画質判定部からの前記指示が表示中の画像の設定値の変更である場合に、表示部へ出力する表示画像信号の設定値を、前記指示が含む前記設定値に基づいて設定（更新）する表示設定手段と、
を具備する電子機器。
【請求項２】
前記指示入力手段はネットワークを通じて前記指示を受けつけ、前記設定値出力手段はネットワークを通じて前記表示中の画像の設定値を送信する請求項１の電子機器。
【請求項３】
前記指示入力手段及び前記設定値出力手段は、ネットワークとの間のインタフェースであり、画像データ及び制御信号の送信と受信が可能である請求項２の電子機器。
【請求項４】
カメラ部と、
前記カメラ部が撮影した画像から表示装置の境界部とその両側の画像を検出し、前記境界部の両側の画像の画質の差異を抽出する画像処理手段と、
前記画像処理手段が抽出した前記境界部の両側の画像の画質を変更するための補正量を設定する画質設定手段と、
前記画質設定手段が設定した前記補正量を、ネットワークを通じて前記表示装置に供給する通信手段と、
を具備する電子機器。
【請求項５】
前記通信手段は、前記表示装置の前記画質設定手段が読み取り可能に、前記補正量をネットワーク上に送信する請求項４の電子機器。
【請求項６】
前記画質設定手段は、前記画像処理手段が抽出した前記境界部の両側の画像の画質が一致すると予測する補正量を推測する請求項４または５の電子機器。
【請求項７】
撮影した画像から表示装置の境界部とその両側の画像を検出し、
検出した境界部の両側の画像の画質の差異を抽出し、
抽出した境界部の両側の画像の画質を変更するための補正量を設定し、
設定した補正量を、ネットワークを通じて表示装置に供給する
表示画質補正方法。
【発明の詳細な説明】
【技術分野】
【０００１】
この発明は、複数の表示パネルを並列して設置した表示装置に画像を表示する電子機器及び表示画質補正方法に関する。
【背景技術】
【０００２】
電子機器、例えば映像表示部にパネル形状の表示部を用いる表示装置においては、複数のパネルを並列して設置して画像を表示する場合がある。
【先行技術文献】
【特許文献】
【０００３】
【特許文献１】特開２００９−１０９８３号公報
【特許文献２】特許第４４５２４９８号公報
【発明の概要】
【発明が解決しようとする課題】
【０００４】
複数の表示パネルを並べて画像を表示する場合、パネルの接続部において、パネルの視野角の差異あるいは個体差に起因して、例えば輝度（明るさ）や色合い（色調）が異なる場合がある。特に、互いに直交する第１の方向と第２の方向のそれぞれの視野角が異なるパネルを用いる場合、視野角の差異が顕著となる方向において接続したパネルの境界部において、パネル間の輝度や色合いの差異が視認され易くなる。なお、拡大した画像のように、１つの画像を複数のパネルで分割して表示する場合、パネルの境界で接する表示画像のパネル間の輝度や色合いの差異が、特に視認されやすい。
【０００５】
パネル間の輝度や色合いの差異を除去する場合、例えば個々のパネルの表示に基づいて取得する調整値（補正量）の設定、調整値を反映した表示画像の表示、調整値を反映した表示画像に基づいて取得する新たな調整値の設定及び新たな調整値を反映した表示画像の表示、等の調整工程を複数回繰り返すことが一般的である。また、パネルの数が多い場合には、調整工程は、非常に煩雑となる。
【０００６】
この発明の目的は、表示パネルを並列して設置した表示装置に画像を表示する電子機器及び表示画質補正方法を提供することである。
【課題を解決するための手段】
【０００７】
実施形態の電子機器は、カメラ部と、画像処理手段と、画質設定手段と、通信手段と、を具備する。画像処理手段は、前記カメラ部が撮影した画像から表示装置の境界部とその両側の画像を検出し、前記境界部の両側の画像の画質の差異を抽出する。画質設定手段は、前記画像処理手段が抽出した前記境界部の両側の画像の画質を変更するための補正量を設定する。通信手段は、前記画質設定手段が設定した前記補正量を、ネットワークを通じて前記表示装置に供給する。
【図面の簡単な説明】
【０００８】
【図１】実施形態に係るシステム構成の概要の一例を示す。
【図２】実施形態に係るシステム構成の概要の一例を示す。
【図３】実施形態に係るシステムが含む表示装置の調整例の一例を示す。
【図４】実施形態に係るシステムが含む表示装置の調整方法をソフトウェア的に示す。
【図５】実施形態に係るシステムに適用可能な表示装置の一例を示す。
【発明を実施するための形態】
【０００９】
以下、図面を参照して、本発明の実施の一形態について説明する。
【００１０】
図１が示す電子機器（表示システム）１は、例えば、複数の表示装置１０１〜１０３、撮影装置２０１、及びそれらを接続するネットワーク１１からなる。
【００１１】
表示装置１０１〜１０３は、映像信号の入力を受信する機能および入力された映像信号の全体または部分を表示する機能を具備する。表示装置１０１〜１０３は、ネットワーク連携機能、例えばWebSocket（ウエブソケット）を利用した通信機能及び制御機能を有した、例えばスマートテレビ（テレビジョン受信装置）である。表示装置１０１〜１０３のそれぞれは、例えば通常のテレビジョン放送の受信と再生も可能である。
【００１２】
撮影装置２０１は、撮影機能を有したカメラ部２０１Ａ、カメラ部より入力された画像から表示装置１０１〜１０３のいずれかが接している辺（画像）を抽出する機能を有した画像処理ソフトウェア（画像処理部）２０１Ｂ、及び検出した辺の近辺の色情報を抽出する色判定ソフトウェア（画質判定・設定部）２０１Ｃを具備する。撮影装置２０１は、例えばタブレット端末装置あるいは撮影機能を有する携帯可能な端末装置である。
【００１３】
図２に、図１が示す表示システム（電子機器）１の表示装置１０１〜１０３による表示例を、撮影装置２０１による撮影する概略を示す。
【００１４】
図２が示す例は、３台の表示装置１０１〜１０３を縦１列に並べて設置し、１つの映像を拡大して表示する例である。例えば４台の表示装置を、縦２台横２台並べてもよいし、６台の表示装置を、縦３台横２台並べてもよい。
【００１５】
図２が示す配列の表示装置１０１〜１０３からなる表示システム１が表示する映像を、撮影装置２０１（カメラ部２０１Ａ）にて撮影する。撮影装置２０１は、図３により一例を示すように、画像処理ソフトウェア２０１Ｂにより表示装置１０１〜１０３のいずれかが接している辺（画像）を抽出したのち、色判定ソフトウェア２０１Ｃにより、例えば輝度（明るさ）や色合い（色調）の調整値（補正量）を求め、ネットワーク１１を介して表示装置１０１〜１０３に供給する。
【００１６】
図３に、互いに表示画像の辺が接する２台の表示装置、例えば表示装置１０１及び表示装置１０２（あるいは表示装置１０２と１０３）が表示する表示画像を撮影装置２０１により撮影した表示画像の辺（境界）の表示例を示す。
【００１７】
表示画像の辺（境界）の表示においては、表示装置１０１と１０２（１０２と１０３）の個体差の影響により、例えば輝度（明るさ）や色合い（色調）の差異が強調される場合がある。
【００１８】
このため、表示装置１０１と１０２との間の境界部（表示装置１０１の辺の画像と表示装置１０２の辺の画像）の表示を撮影した結果を、画像処理ソフトウェア２０１Ｂにより解析し、色判定ソフトウェア２０１Ｃを用いて、両者の表示画像の画質、例えば輝度（明るさ）や色合い（色調）の差異が最小になるように、調整値（補正量）を求める。なお、調整値は、他の境界部すなわち図３の例では、表示装置１０２と１０３との間の境界部の表示画像についても、同様に調整値を求める。
【００１９】
また、表示装置１０１〜１０３のそれぞれがＬＣＤパネルである場合には、それぞれのパネルが、視野角の差異が顕著となる方向において接続される場合もあるため、調整値を求める上述の調整工程は、通常、複数回繰り返される場合ある（多くの場合は、複数回の調整が必要である）。
【００２０】
図４は、本提案における装置の処理フローを示す。
【００２１】
まず、撮影装置（タブレット端末）２０１から個々の表示装置１０１〜１０３へ、調整（調整工程）開始を通知する。なお、調整工程は、表示装置１０１と表示装置１０２との間及び表示装置１０２と表示装置１０３との間で独立した工程であるため、図４では、主として表示装置１０１と表示装置１０２との間の調整を説明する［１０１］。
【００２２】
表示装置１０１及び表示装置１０２は、それぞれ、タブレット端末（撮影装置）２０１から受け取ったテストパターン情報（画像データ）に対応するテストパターン画像を表示する［１１１］，［１２１］。
【００２３】
表示装置１０１及び表示装置１０２は、テストパターン画像の表示が完了したことを、タブレット端末２０１に通知する［１１２］，［１２２］。
【００２４】
タブレット端末２０１において、テストパターン画像の表示完了の通知を受け取った後の所定のタイミングで、表示システム１（表示装置１０１及び表示装置１０２）が表示する表示画像を撮影する（表示装置１０３が表示するテストパターン画像の表示を含んでもよい）。このとき、少なくとも表示装置１０１が表示するテストパターン画像の表示のうちの辺（表示装置１０２が表示するテストパターン画像との境界）と表示装置１０２が表示するテストパターン画像の表示のうちの辺（表示装置１０１が表示するテストパターン画像との境界）の近傍を間に存在する辺（境界）のテストパターン画像を撮影する［１０２］。
【００２５】
続いて、タブレット端末２０１において撮影したテストパターン画像から、表示装置１０１が表示するテストパターン画像の表示のうちの辺（表示装置１０２が表示するテストパターン画像との境界）と表示装置１０２が表示するテストパターン画像の表示のうちの辺（表示装置１０１が表示するテストパターン画像との境界）とを検出する［１０３］。
【００２６】
次に、検出した２つの辺（表示装置１０２が表示するテストパターン画像の表示装置１０１側の境界及び表示装置１０１が表示するテストパターン画像の表示装置１０２側の境界と）が表示するテストパターン画像の画像の特徴、例えば輝度（明るさ）や色合い（色調）を抽出し、その差異を比較して、一定の範囲内（許容値内）であるか否か、すなわち調整が必要か否かを判定する［１０４］。
【００２７】
抽出した輝度や色合いの差異が一定の範囲（許容値）内である場合、すなわち調整が必要ない場合［１０４−ＮＯ］、表示装置１０１の表示の境界部と表示装置１０２の表示の境界部との間の表示の調整を終了する（タブレット端末２０１により、個々の表示装置に調整終了を指示する）［１０５］。なお、次の調整である表示装置１０２の表示の境界部と表示装置１０３の表示の境界部との間の表示の調整については、実質的に同一の調整工程であるから、詳細な説明を省略する。
【００２８】
抽出した輝度や色合いの差異が一定の範囲（許容値）内から逸脱する（輝度や色合いの差異が一定の範囲に収まっていない）場合、すなわち調整を必要とする場合［１０４−ＹＥＳ］、タブレット端末２０１から表示装置１０１または表示装置１０２のいずれか一方（図４では表示装置１０２）へ、現在表示中の画像の画質（輝度／色合い）の画質設定値の送信を要求する［１０６］。
【００２９】
画質設定値の送信の要求を受けつけた表示装置１０２は、現在の画質設定値をタブレット端末２０１に送信する［１２３］。
【００３０】
タブレット端末２０１は、受け取った（表示装置１０２の）画質設定値から、隣接する表示装置（表示装置１０１）との間の境界部において画質が一致すると予測する画質設定値を推測する。なお、予測する画質設定値は、例えば輝度／色合いのそれぞれ、もしくはその一方あるいはコントラスト、等、任意である［１０７］。
【００３１】
タブレット端末２０１は、推測した新しい画質設定値を表示装置（表示装置１０２）に送信（指示）する［１０８］。
【００３２】
新しい画質設定値を受けとった表示装置（表示装置１０２）は、現在の画質設定値を、受け取った新しい画質設定値に更新し［１２４］、新しい画質設定値を用いたテストパターン画像を表示し［１２５］、表示完了（通知）をタブレット端末２０１に通知する［１２６］。
【００３３】
表示装置（表示装置１０２）からの表示完了（通知）を受け取ったタブレット端末２０１は、所定のタイミングで、表示システム１（表示装置１０１及び表示装置１０２）が表示する表示画像を撮影する［１０２］。
【００３４】
以下、上述した表示画像の検出（［１０３］）、画像の画像の特徴の抽出と調整が必要か否かの判定（［１０４］）を、抽出した輝度や色合いの差異が一定の範囲（許容値）内に収まるまで、あるいは所定回数の調整に従う調整終了（［１０５］）まで繰り返すことにより、表示装置１０１〜１０３が表示する表示画像の画質を均質化することができる。
【００３５】
なお、上述した表示システムにおける表示画質の調整においては、表示装置の配置や、表示装置が表示する表示画像の辺（縁）及び表示装置相互間の表示の境界を検出する方法は、任意である（ユーザの目視（視覚による判定）や判定プログラムによる自動的な判定が利用可能である）。
【００３６】
また、タブレット端末２０１による表示画像の撮影は、ユーザによる手動の撮影はもちろん、タブレット端末２０１がテストパターン画像の表示完了の通知を受け取った以降の任意のタイミングで、自動的に撮影するものであってもよい。なお、テストパターン画像は、表示装置の表示特性（画像の書き換え（画像フレームの更新）やバックライトの点滅（駆動回路の特性）等）を考慮して複数回撮影し、例えば最も明るく撮影された表示画像を画質の判定に用いることが好ましい。また、表示画像の複数の画像フレームを必ず撮影して、その積分値（または平均値）を画質の判定に用いることも可能である。
【００３７】
なお、上述したタブレット端末２０１から表示装置１０１または表示装置１０２のいずれか一方の表示装置に対する現在表示中の画像の画質（輝度／色合い）の画質設定値の送信の要求を隣接する表示装置の数が少ない表示装置に要求することで、次の表示装置相互間の表示画質の調整の影響を受けにくくなることが考えられる。
【００３８】
なお、図１〜図３に示した表示装置（電子機器）１は、図５に一例を示すテレビジョン装置に限らず、画像を表示可能であれば、どのような装置であってもよく、例えば放送を受信する機能を有するＰＣ（パーソナルコンピュータ）、放送受信装置を有する映像記録装置（レコーダ装置）と接続する映像表示装置（モニタ装置）、あるいは放送受信機能を有する携帯可能端末装置等への適用が可能である。また、画像は、空間を伝播する電波として放送事業者（放送局）が提供する放送が含む動画や静止画あるいはテキスト（コード化された符号列で示される文字や記号等で表される情報）ならびにその任意の組み合わせを含む。また、画像は、光ファイバ等を用いるケーブルシステムやＩＰ（インターネット・プロトコル）網等のネットワークにより配信事業者が配信するもの等、を含む。また、画像は、映像と音声および／または音楽等を含み、一定の時間（放送時間）を単位とする番組を、連続して、あるいは一定期間（時間）提供する。なお、画像は、コンテンツもしくはストリームあるいは番組と呼称される場合もある。
【００３９】
図５に、図１〜図４に示した表示システムの個々の表示装置に利用可能なテレビジョン装置（表示装置１０１〜１０３のそれぞれ）の要素の一例を示す。
【００４０】
テレビジョン装置１０１（または１０２もしくは１０３も同一の装置であってもよい）は、入力部１１１、復調部１１２、信号処理部１１３、音声処理部１２１、映像処理部１３１、ＯＳＤ処理部１３２、表示処理部１３３、制御部１５０、ストレージ１６０、操作入力部１６１、受信部１６２、及びネットワークコントローラ１７１、等を備える。
【００４１】
テレビジョン装置１０１は、例えばリモートコントローラ１６３からの制御入力（操作指示）を受けつけ、操作指示（制御入力）に対応する制御コマンドを制御部１５０に供給する。例えば、電源ボタンがオンされることで、スタンバイ（待機／主電源オフ）状態から動作状態へ遷移し、電源ボタンがもう一度オンされることで、動作状態からスタンバイ状態へ遷移する。
【００４２】
入力部１１１は、例えばアンテナＡＮＴを通じて受信可能なデジタル放送信号、例えば地上波放送信号、ＢＳ（Broadcasting Satellite）放送信号、及び／またはＣＳ（Communication Satellite）放送信号を受信することができる。入力部１１１はまた、例えばＳＴＢ（Set Top Box、例えば有料放送等に対応する外部チューナ、あるいはケーブル配信局が配信する放送を選局可能なチャンネルセレクタ）等を経由し、もしくは直接入力として供給されるコンテンツ（外部入力）を受け取ることができる。
【００４３】
入力部１１１は、受け取ったデジタル放送信号のチューニング（選局）を行う。入力部１１１は、チューニングしたデジタル放送信号を復調部１１２に供給する。なお、テレビジョン装置１０１は、複数の入力部（チューナ）１１１を備えていてもよい。その場合、テレビジョン装置１０１は、複数のデジタル放送信号／コンテンツを同時に受信することができる。なお、入力部１１１は、ＳＴＢ等を経由する外部入力については、そのまま、復調部１１２へ供給する。
【００４４】
復調部１１２は、選局されたデジタル放送信号／コンテンツを復調する。すなわち、復調部１１２は、デジタル放送信号／コンテンツからトランスポートストリーム（ＴＳ、Transport Stream）等の動画データ（以下ストリームと称する）を取得する。復調部１１２は、取得したストリームを信号処理部１１３に入力する。なお、テレビジョン装置１０１は、複数の復調部１１２を備えていてもよい。複数の復調部１１２は、複数のデジタル放送信号／コンテンツのそれぞれを、復調することができる。
【００４５】
信号処理部１１３は、復調部１１２が復調したストリームを、例えば音声成分と映像成分、及び文字情報やＥＰＧ（Electric Program Guide）向けのデータ成分に、分離する。すなわち、信号処理部１１３は、ストリームをデジタル映像信号、デジタル音声信号、及びその他のデータ信号、例えば上述のＥＰＧ向け成分の他に、データ放送と称する文字や符号からなるテキストデータ等を分離する。なお、信号処理部１１３は、複数の復調部１１２により復調された複数のストリームを分離することができる。
【００４６】
信号処理部１１３はまた、分離したデジタル音声信号を音声処理部１２１に供給する。信号処理部１１３はさらに、分離したデジタル映像信号を映像処理部１３１に供給する。また、信号処理部１１３は、制御部１５０に、ＥＰＧ（向け）データなどのデータ信号を供給する。
【００４７】
なお、信号処理部１１３は、制御部１５０の制御に基づいて、上記のストリームを録画可能な状態のデータ（録画ストリーム）に変換することができる。信号処理部１１３は、さらに、制御部１５０の制御に基づいて、録画ストリームをストレージ１６０または他のモジュールに供給することができる。
【００４８】
またさらに、信号処理部１１３は、ストリームのビットレートを、オリジナル（放送信号／コンテンツ）で設定されているビットレートから他のビットレートに変換（トランスコード）することができる。すなわち、信号処理部１１３は、取得した放送信号／コンテンツのオリジナルのビットレートを、オリジナルに比較して低いビットレートにトランスコード（変換）することができる。これにより、信号処理部１１３は、より容量の少ない状態でコンテンツ（番組）を録画させることができる。
【００４９】
音声処理部１２１は、信号処理部１１３から受信したデジタル音声信号を、スピーカ１２２により再生可能なフォーマットの信号（オーディオ信号）に変換する。すなわち、音声処理部１２１は、Ｄ／Ａ（Digital to Analog）変換部を含み、デジタル音声信号をアナログオーディオ（音響）／音声信号に変換する。音声処理部１２１は、変換したオーディオ（音響）／音声信号をスピーカ１２２に供給する。スピーカ１２２は、供給されるオーディオ（音響）／音声信号から、音声及び音響音を再生する。
【００５０】
映像処理部１３１は、信号処理部１１３からのデジタル映像信号を、ディスプレイ１３４で再生可能なフォーマットの映像信号に変換する。すなわち、映像処理部１３１は、信号処理部１１３から受信したデジタル映像信号を、ディスプレイ１３４で再生可能なフォーマットの映像信号にデコードする。映像処理部１３１は、デコードした映像信号を表示処理部１３３に出力する。
【００５１】
ＯＳＤ処理部１３２は、信号処理部１１３から供給されるデータ信号及びまたは制御部１５０から供給される制御信号（制御コマンド）に基づいて、例えばＧＵＩ（Graphical User Interface）表示、字幕表示、時刻表示等を、映像処理部１３１からの表示信号に重畳して表示するためのＯＳＤ（On Screen Display）信号を生成する。
【００５２】
表示処理部１３３は、例えば制御部１５０からの制御に基づいて、受信した映像信号に、例えば色味、明るさ、シャープ、コントラスト及びその他の画質調整処理を行う。表示処理部１３３は、画質調整を施した映像信号をディスプレイ１３４に供給する。従い、ディスプレイ１３４は、供給される映像信号に基づいて映像を表示する。
【００５３】
表示処理部１３３はまた、画質調整処理後の上述の映像処理部１３１からの表示信号とＯＳＤ処理部１３２からのＯＳＤ信号とを重畳し、ディスプレイ１３４に供給する。
【００５４】
ディスプレイ１３４は、例えばマトリクス状に配列された複数の画素を備える液晶表示パネルと、この液晶パネルを照明するバックライトとを備える液晶表示装置、等を含む。ディスプレイ１３４は、表示処理部１３３から供給される映像信号に基づいて映像を表示する。
【００５５】
なお、テレビジョン装置１０１は、ディスプレイ１３４の代わりに、映像信号を出力する出力端子を備える構成であってもよい。また、テレビジョン装置１０１は、スピーカ１２２の代わりに、オーディオ信号を出力する出力端子を備える構成であってもよい。また、テレビジョン装置１０１は、デジタル映像信号とデジタル音声信号とを出力する出力端子を備える構成であってもよい。
【００５６】
制御部１５０は、テレビジョン装置１０１の各部の動作を制御する。制御部１５０は、ＣＰＵ（Central Processing Unit）１５１、ＲＯＭ（読み出し専用メモリ）１５２、ＲＡＭ（Random Access Memory）１５３、及びＥＥＰＲＯＭ（不揮発性メモリ）１５４、等を含む。制御部１５０はまた、操作入力部１６１から供給される操作信号に基づいて、種々の処理を行う。
【００５７】
ＣＰＵ１５１は、種々の演算処理を実行する演算素子などを備える。ＣＰＵ１５１は、ＲＯＭ１５２、またはＥＥＰＲＯＭ１５４等が保持するプログラムを実行することにより種々の機能を実現する。
【００５８】
ＲＯＭ１５２は、テレビジョン装置１０１を制御するためのプログラム、及び各種の機能を実現するためのプログラムなどを保持する。ＣＰＵ１５１は、操作入力部１６１から供給される操作信号に基づいて、ＲＯＭ１５２に記憶されているプログラムを起動する。これにより、制御部１５０は、各部の動作を制御する。
【００５９】
ＲＡＭ１５３は、ＣＰＵ１５１のワークメモリとして機能する。すなわち、ＲＡＭ１５３は、ＣＰＵ１５１の演算結果やＣＰＵ１５１により読み込まれたデータ等を記憶する。
【００６０】
ＥＥＰＲＯＭ１５４は、各種の設定情報及びプログラム等を記憶する不揮発性メモリである。なお、必要に応じて（制御部１５０の制御に従い）Wi-Fi Direct処理部１９０が認証したクライアント機器の情報を保持する。
【００６１】
ストレージ１６０は、コンテンツを記憶する記憶媒体を有する。ストレージ１６０は、例えばハードディスクドライブ（ＨＤＤ）、ＳＳＤ（Solid State Drive）、もしくは半導体メモリなどである。ストレージ１６０は、信号処理部１１３からの供給された録画ストリームやテキストデータなどを記憶することができる。
【００６２】
操作入力部１６１は、例えばユーザによる操作入力に対応して操作信号を生成する操作キーを含む。また、操作入力部１６１は、キーボード、マウス、または操作信号を生成することができる他の入力装置などから操作信号を受け取る構成であってもよい。操作入力部１６１は、操作信号を制御部１５０に供給する。
【００６３】
なお、テレビジョン装置１０１のディスプレイ１３４は、操作入力部１６１の一部の機能を実現可能なタッチパネル機能を備える構成であってもよい。
【００６４】
受信部１６２は、例えば赤外線（Ｉｒ）方式により供給されるリモートコントローラ１６３からの操作信号を受信するセンサ等を備える。受信部１６２は、受信した信号を制御部１５０に供給する。制御部１５０は、受信部１６２から供給された信号を受信し、受信した信号を増幅したのちＡ／Ｄ（Analog to Digital）変換を行うことにより、リモコン１６３から送信された元の操作信号を復号する。
【００６５】
リモートコントローラ１６３は、ユーザの操作入力に基づいて操作信号を生成する。リモートコントローラ１６３は、生成した操作信号を赤外線通信により受信部１６２に送信する。なお、受信部１６２及びリモートコントローラ１６３は、電波（ＲＦ）、等の他の無線通信により操作信号の送受信を行う構成であってもよい。
【００６６】
ネットワークコントローラ１７１は、例えばネットワーク（インターネット）１と接続し、ネットワーク１上の他の機器と通信を行なうことができる。これにより、テレビジョン装置１０１は、ネットワーク１を経由して接続可能な任意の機器及びコンテンツ供給元あるいは種々のデータサーバとの間の情報の受け渡しが可能である。これにより、テレビジョン装置１０１は、ネットワークコントローラ１７１を経由して接続するコンテンツ供給元やデータサーバ、もしくは家庭内を含む任意の機器が保持するコンテンツ（ストリーム）を取得し、再生することができる。なお、ネットワークコントローラ１７１は、例えばWebSocketを利用した通信機能及び制御機能を、例えばソフトウェアにより、もしくはコントローラ内部の構成の一部として、有する。ウエブソケット（WebSocket）は、制御信号の送信と受信が可能に構成されたネットワークとの間のインタフェースである。なお、ウエブソケットを利用した通信機能及び制御機能は、制御部１５０のＣＰＵ１５１が動作可能に、例えばプラグイン方式によりＣＰＵ１５１のファームウエアとして提供されるものであってもよい。
【００６７】
ＨＤＭＩ処理部１８１は、ＨＤＭＩ（登録商標）規格（すなわちＨＤＭＩ(High Definition Multimedia Interface)）に従い、制御信号及び映像（Video）データと音声（音響／Audio）データの受け渡しを行う。ＨＤＭＩ処理部１８１は、ＨＤＭＩ端子を備える外部機器または大容量メモリ（外付けＨＤＤ）等との間で、映像及び音声を含むコンテンツ（ストリーム）の送信と受信が可能である。外部機器としては、例えばブルーレイ（登録商標）レコーダ、ＤＶＤ（Digital Versatile Disk）レコーダ、ハードディスク（ＨＤＤ）レコーダ、または他の機器とＨＤＭＩ規格に対応した機器（ＨＤＭＩ機器）、あるいはＮＡＳ（Network Attached Storage）等、がある。なお、テレビジョン装置１０１は、例えばＳｅｒｉａｌ−ＡＴＡ（Serial-Advanced Technology Attachment）やＨＤＭＩ−ＨＥＣ（HDMI Ethernet Channel）（登録商標）との接続が可能なＬＡＮ端子、等の他のインタフェースを備えることができる。
【００６８】
このように、実施形態を適用する表示装置は、複数の表示パネル（表示装置）を並べて画像を表示する場合のパネル相互の接続部においても、パネルの視野角の差異に起因した輝度（明るさ）や色合い（色調）の変化を低減できる。異なる場合がある。特に、互いに直交する第１の方向と第２の方向のそれぞれの視野角が異なるパネルを用いる場合、その角度から表示装置（パネル）間の画質が最も均質になる設定値を導出することが可能となる。
【００６９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７０】
１・・・表示システム、１１・・・ネットワーク、１０１〜１０３・・・表示装置（テレビジョン受信装置）、１１１・・・入力部、１１２・・・復調部、１１３・・・信号処理部、１３１・・・映像処理部、１３３・・・表示処理部、１３４・・・ディスプレイ、１５０・・・制御部、１５１・・・ＣＰＵ、１７１・・・ネットワークコントローラ、２０１・・・撮影装置、２０１Ａ・・・カメラ部、２０１Ｂ・・・画像処理ソフトウェア（画像処理部）、２０１Ｃ・・・色判定ソフトウェア（画質判定・設定部）。
【図１】
2015087413.tif 000003
【図２】
2015087413.tif 000004
【図３】
2015087413.tif 000005
【図４】
2015087413.tif 000006
【図５】
2015087413.tif 000007